(57)【要約】【課題】重量物を収納し重いものであっても、容易に移動等させることが出来る手段を提供する。【解決手段】  重量物を収納する収納部と、上記収納部の相対する第一側面及び第二側面に形成された第一のフラップ対１４ａ、１４ｃと、上記第一側面及び上記第二側面とは異なる向きで相対する上記収納部の第三側面及び第四側面に形成された第二のフラップ対１４ｂ、１４ｄと、上記第二のフラップ対の各々のフラップの先端部に形成された把手部１６とを備え、上記第一のフラップ対を折り曲げて上記収納部を閉塞した状態で、上記第二のフラップ対を折り曲げて外側から上記第一のフラップ対に重畳させる。【選択図】図１
2018030652.tif 000002
【特許請求の範囲】
【請求項１】
重量物を収納する収納部と、
上記収納部の相対する第一側面及び第二側面に形成された第一のフラップ対と、
上記第一側面及び上記第二側面とは異なる向きで相対する上記収納部の第三側面及び第四側面に形成された第二のフラップ対と、
上記第二のフラップ対の各々のフラップの先端部に形成された把手部とを備え、
上記第一のフラップ対を折り曲げて上記収納部を閉塞した状態で、上記第二のフラップ対を折り曲げて外側から上記第一のフラップ対に重畳させることを特徴とする段ボール箱。
【請求項２】
前記第二のフラップ対は、それぞれの基端部から自由端までの長さが、前記第三側面及び前記第四側面の間の距離の半分以上に設定されることを特徴とする請求項１に記載の段ボール箱。
【請求項３】
前記第二のフラップ対は、それぞれの基端部から自由端までの長さが、前記第三側面及び前記第四側面の間の距離の半分を越えるように設定されることを特徴とする請求項１に記載の段ボール箱。
【請求項４】
前記第二のフラップ対は、それぞれの基端部から自由端までの長さが、前記第三側面及び前記第四側面の間の距離程度に設定されることを特徴とする請求項１に記載の段ボール箱。
【請求項５】
前記第二のフラップ対は、それぞれの基端部から自由端までの中間部位に、該基端部から該自由端に向かう方向に対して直交する方向に沿う一つ以上の谷折部及び／又は山折部を有することを特徴とする請求項１乃至４の何れかに記載の段ボール箱。
【請求項６】
前記第三側面及び前記第四側面の幅が、前記収納部を構成するその他の側面の幅よりも狭く設定されることを特徴とする請求項１乃至５の何れかに記載の段ボール箱。
【請求項７】
前記第一のフラップ対及び前記第二のフラップ対は、前記収納箱の天面側に設けられることを特徴とする請求項１乃至６の何れかに記載の段ボール箱。
【請求項８】
前記第一のフラップ対及び前記第二のフラップ対は、前記収納箱の底面側に設けられることを特徴とする請求項１乃至７の何れかに記載の段ボール箱。
【請求項９】
前記重量物は、流体を貯留した大容量の容器であることを特徴とする請求項１乃至８の何れかに記載の段ボール箱。
【請求項１０】
重量物を収納部に収納する段ボール箱の使用方法において、
上記収納箱は、
上記収納部の相対する第一側面及び第二側面に形成された第一のフラップ対と、
上記第一側面及び上記第二側面とは異なる向きで相対する上記収納部の第三側面及び第四側面に形成された第二のフラップ対と、
上記第二のフラップ対の各々のフラップの先端部に形成された把手部とを備え、
上記第一のフラップ対を折り曲げて上記収納部を閉塞した状態で、上記第二のフラップ対を展開させて上記把手部をそれぞれ片手ずつで把持されることを特徴とする段ボール箱の使用方法。
【請求項１１】
前記第一のフラップ対によって前記収納部を閉塞した状態で、前記第二のフラップ対を折り曲げて外側から前記第一のフラップ対に重畳するように組み立て可能であることを特徴とする請求項１０に記載の段ボール箱の使用方法。
【発明の詳細な説明】
【技術分野】
【０００１】
本発明は、重量物、特にミネラルウォータ、ジュースといった飲料等の流体を貯留する流体容器を収納する段ボール箱及び段ボール箱の使用方法に関する。
【背景技術】
【０００２】
給液装置の一種であるウォータサーバには、水を貯留する流体容器が、サーバ本体の下側に設けられた容器装着部に収納されるものがある。この種のサーバ本体は、流体容器が容器装着部に収納されると、容器装着部より上側にある内蔵タンクにポンプ等で汲み上げられ、タンクに汲み上げられた水が吐水孔より吐水される。
【０００３】
流体容器は、一般に、段ボール等によって組み立てられた収納箱に収納されて運搬され、サーバ本体の下側の容器装着部に、収納部から取り出された状態で、又は、収納部に収納されたままの状態で配設される。従って、ユーザは、満水の流体容器を容器装着部にセットするとき、セットする流体容器を引きずり、又は、多少持ち上げて移動させる必要がある。ところで、ウォータサーバのユーザには、健常者ばかりではなく、年長者や子供や障害者といった力の弱い者もいる。満水の流体容器を移動させる作業は、健常者にとっても重量によっては容易な作業ではなく、力の弱い者にとってはより一層大変な作業となる。
【先行技術文献】
【特許文献】
【０００４】
【特許文献１】登録実用新案第３１２０５６２号公報
【特許文献２】特開平７−３１５４３６号公報
【発明の概要】
【発明が解決しようとする課題】
【０００５】
本発明は、以上のような課題に鑑みてなされたものであり、収納物を収納し重いものであっても、容易に移動させるための手段を提供することを目的とする。
【課題を解決するための手段】
【０００６】
本発明に係る段ボール箱は、重量物を収納する収納部と、上記収納部の相対する第一側面及び第二側面に形成された第一のフラップ対と、上記第一側面及び上記第二側面とは異なる向きで相対する上記収納部の第三側面及び第四側面に形成された第二のフラップ対と、上記第二のフラップ対の各々のフラップの先端部に形成された把手部とを備え、上記第一のフラップ対を折り曲げて上記収納部を閉塞した状態で、上記第二のフラップ対を折り曲げて外側から上記第一のフラップ対に重畳させる。
【０００７】
また、前記第二のフラップ対は、それぞれの基端部から自由端までの長さが、前記第三側面及び前記第四側面の間の距離の半分以上に設定される。
【０００８】
また、前記第二のフラップ対は、それぞれの基端部から自由端までの長さが、前記第三側面及び前記第四側面の間の距離の半分を越えるように設定される。
【０００９】
また、前記第二のフラップ対は、それぞれの基端部から自由端までの長さが、前記第三側面及び前記第四側面の間の距離程度に設定される。
【００１０】
また、前記第二のフラップ対は、それぞれの基端部から自由端までの中間部位に、該基端部から該自由端に向かう方向に対して直交する方向に沿う一つ以上の谷折部及び／又は山折部を有する。
【００１１】
また、前記第三側面及び前記第四側面の幅が、前記収納部を構成するその他の側面の幅よりも狭く設定される。
【００１２】
また、前記第一のフラップ対及び前記第二のフラップ対は、前記収納箱の天面側に設けられる。
【００１３】
また、前記第一のフラップ対及び前記第二のフラップ対は、前記収納箱の底面側に設けられる。
【００１４】
また、前記重量物は、流体を貯留した大容量の容器である。
【００１５】
また、本発明の段ボール箱の使用方法は、重量物を収納部に収納する段ボール箱の使用方法において、上記収納箱は、上記収納部の相対する第一側面及び第二側面に形成された第一のフラップ対と、上記第一側面及び上記第二側面とは異なる向きで相対する上記収納部の第三側面及び第四側面に形成された第二のフラップ対と、上記第二のフラップ対の各々のフラップの先端部に形成された把手部とを備え、上記第一のフラップ対を折り曲げて上記収納部を閉塞した状態で、上記第二のフラップ対を展開させて上記把手部をそれぞれ片手ずつで把持される。
【００１６】
また、前記第一のフラップ対によって前記収納部を閉塞した状態で、前記第二のフラップ対を折り曲げて外側から前記第一のフラップ対に重畳するように組み立て可能である。
【発明の効果】
【００１７】
本発明によれば、第二のフラップ対には、把手部が形成されているので、ユーザは把手部を持つことで、重量物を収納したものであっても、容易に移動させることが出来る。
【図面の簡単な説明】
【００１８】
【図１】（Ａ）は第一実施形態の斜視図であり、（Ｂ）は展開図である。
【図２】第一実施形態の収納箱の天面が開いた状態を示す斜視図である。
【図３】第一実施形態の収納箱を移動させている状態を示す斜視図である。
【図４Ａ】第一実施形態の変形例を示す斜視図である。
【図４Ｂ】第一実施形態の更なる変形例を示す斜視図である。
【図４Ｃ】第一実施形態の更なる変形例を示す斜視図である。
【図４Ｄ】第一実施形態の更なる変形例を示す斜視図である。
【図５】第二実施形態の斜視図である。
【図６】第二実施形態の収納箱の展開図である。
【図７】第二実施形態の収納箱の組立途中を示す斜視図である。
【図８】第二実施形態の収納箱の組立途中を示す斜視図であり、図７の続きを示す。
【図９】キャップ部分と第一乃至第四天面フラップに形成された第一乃至第四ネック係合部との関係を示す断面図である。
【図１０】第二実施形態の変形例の展開図である。
【図１１】第二実施形態の変形例の収納箱の組立途中を示す斜視図である。
【図１２】本発明が適用された収納箱の斜視図である。
【図１３】流体容器を収納する収納部の展開図である。
【図１４】（Ａ）は、収納箱を構成する収納部と閉塞部との関係を示す斜視図であり、（Ｂ）は、閉塞部の展開図である。
【図１５】第三実施形態の収納箱を示す斜視図である
【図１６】図１５に示す収納箱の天面外フラップが開放された状態を示す斜視図である。
【図１７】図１５に示す収納箱を底面側から見た斜視図である。
【図１８】流体容器を収納した状態の断面図である。
【図１９Ａ】図１５に示す収納箱の展開図である。
【図１９Ｂ】キャップ止め片の平面図である。
【図２０】開封機構の離断部を引きはがしている状態を示す斜視図である。
【図２１】（Ａ）は開封機構の斜視図であり、（Ｂ）は（Ａ）の拡大図である。
【図２２】（Ａ）〜（Ｄ）は開封機構の変形例を示す平面図である。
【図２３】キャップとキャップ止め片とが係合した状態を示す斜視図である。
【図２４】（Ａ）はキャップの斜視図であり、（Ｂ）は平面図であり、（Ｃ）は側面図である。
【図２５】（Ａ）は、収納箱底面の開口部にキャップを取り付ける状態の断面図である。（Ｂ）は、収納箱底面の開口部にキャップを取り付けた状態の断面図である。
【図２６】展開された収納箱にキャップ止め片を重ねた状態を示す平面図である。
【図２７】キャップの変形例を示し、（Ａ）は斜視図、（Ｂ）は断面図である。
【図２８】キャップの更なる変形例を示し、（Ａ）は、上側から見た斜視図、（Ｂ）は下側から見た斜視図、（Ｃ）は断面図である。
【図２９】収納箱からキャップ止め片を引き抜く状態を示す斜視図である。
【図３０】収納箱の天面が開放された状態を示す斜視図である。
【図３１】収納箱からキャップ止め片を引き抜く状態を示す斜視図である。
【図３２】図３１の続きの斜視図である。
【図３３】収納箱をウォータサーバに移動ときの状態を示す斜視図である。
【図３４】（Ａ）は、流体容器を収納した収納箱を持ち上げる前の状態を示し、（Ｂ）は、持ち上げ開始時を示し、（Ｃ）は、持ち上げ後を示す模式図である。
【図３５】流体容器を収納箱ごとウォータサーバの装着部に装着する状態を示す斜視図である。
【図３６】流体容器にソフトボトルを用いたときの収納箱の断面図である。
【図３７】収納箱底面の開口部をキャップを用いることなくキャップ止め片で閉塞する変形例を示す斜視図である。
【発明を実施するための形態】
【００１９】
＜第一実施形態＞
以下、本発明が適用された収納箱を図面を参照して説明する。本発明が適用された収納箱に収納される容器は、図１（Ａ）に示すように、例えばミネラルウォータ等の流体を貯留する流体容器１であって、容量が可変しないハード容器であり、又は、容量が可変する容量可変ボトルである。ハード容器の場合、例えばポリエチレンテレフタレート（ＰＥＴ）等の合成樹脂材料でブロー成形等によって成形されている。また、容量可変型の容器の場合、例えばポリプロピレン、ポリエチレン、ポリアミド（ナイロン）等の合成樹脂材料でブロー成形や製袋加工等によって成形可能である。ハード容器、容量可変型の容器の何れの場合であっても、６リットルや１２リットル等の大きな容量を有している。また、この流体容器１は、先端に口部となる注水口３が形成されたネック部２が設けられており、キャップ４で閉塞されている。このキャップ４は、ポリプロピレン、ポリエチレン等の合成樹脂を成形してなり、内周面にアンダーカットのキャップ溝が形成され、ネック部２の先端外周面に形成されたアンダーカットのキャップ溝に圧入嵌合をされている。なお、キャップ４は、密封された状態から手を加えられたことが明確に分かるようにした周知のタンパエビデンス構造を有していても良い。
【００２０】
このような流体容器１を収納する収納箱１０は、図１（Ａ）及び（Ｂ）に示すように、段ボールや厚紙を折曲してなる六面体であり、ワンピースで構成される。即ち、収納箱１０は、前面１１ａ、一側面１１ｂ，背面１１ｃ，他側面１１ｄとが折曲線１２を介して一連に連結されている。更に、前面１１ａ、一側面１１ｂ，背面１１ｃ，他側面１１ｄには、収納箱１０の底面を構成するための、底面外フラップ１３ａ，１３ｃと底面内フラップ１３ｂ，１３ｄが折曲線１２を介して連結されている。更に、収納箱１０の天面を構成するための、天面外フラップ１４ａ，１４ｃと天面内フラップ１４ｂ，１４ｄが折曲線１２を介して連結されている。天面内フラップ１４ｂ，１４ｄは、突き合わせフラップであり、図２に示すように、その長さＬは、前面１１ａ及び背面１１ｃの幅Ｗのほぼ１／２の長さに形成され、閉じられたとき、互いの先端が突き合わされるようになっている。更に、図１（Ｂ）に示すように、背面１１ｃには、継ぎしろ１５が形成されている。更に、天面内フラップ１４ｂ，１４ｄの先端側には、把手部１６，１６が形成されている。なお、収納箱１０の全体構造としては、六面体に限定されるものではなく、また、ツーピース以上で構成されるものであっても良い。
【００２１】
以上のような収納箱１０は、通常の周知のダンボール箱の組立と同様、先ず、継ぎしろ１５を一側面１１ｂに接着剤、粘着テープ、封緘材等で結合して環状とした後、底面内フラップ１３ｂ，１３ｄを折曲線１２に沿って内側に折り込み、次いで、底面外フラップ１３ａ，１３ｃを内側に折り込み先端を突き合わせ、接着剤、粘着テープ、封緘材等で結合し底面を構成する。ここで、収納箱１０の天面が開いた状態で、満水の流体容器１は、ネック部２を上側にして内部に収納される。この後、天面内フラップ１４ｂ，１４ｄを折曲線１２に沿って内側に折り込み先端を突き合わせ、次いで、天面外フラップ１４ａ，１４ｃを内側に折り込んで、接着剤、粘着テープ、封緘材等で結合し天面を構成する。かくして、流体容器１は、収納箱１０に収納され、出荷され搬送される。この状態において、把手部１６，１６が形成された天面内フラップ１４ｂ，１４ｄは、天面外フラップ１４ａ，１４ｃに隠れるので、搬送時等の見栄えを良くすることが出来ると共に、搬送時等に把手部１６，１６が破損することを防止することが出来る。勿論、本発明では、把手部１６，１６が形成された天面内フラップ１４ｂ，１４ｄが外側に位置しても良い。なお、把手部１６，１６は、加えて天面外フラップ１４ａ，１４ｃにも設けられていても良いし、天面外フラップ１４ａ，１４ｃのみに設けられていても良い。
【００２２】
ウォータサーバを構成するサーバ本体の容器装着部には、流体容器１が、流体容器１を収納箱１０から取り出した状態で、又は、収納箱１０の天面を開いた状態で装着される。何れの装着方法であっても、ユーザは、収納箱１０が配達された後、未開封の収納箱１０をサーバ本体の容器装着部に装着するため、ウォータサーバまで運ぶ必要がある。この際、ユーザは、図２に示すように、先ず、天面内フラップ１４ｂ，１４ｄを折曲線１２に沿って開き、天面内フラップ１４ｂ，１４ｄを折曲線１２に沿って開く。この状態で、ユーザは、天面内フラップ１４ｂ，１４ｄに形成された把手部１６，１６に手を掛けて流体容器１が収納された収納箱１０をウォータサーバまで移動することが出来る。
【００２３】
即ち、図３に示すように、把手部１６，１６の位置は、収納箱１０の高さＨに天面内フラップ１４ｂ，１４ｄの長さＬを加算したものとほぼ同じとなる。収納箱１０を移動させる際には、天面内フラップ１４ｂ，１４ｄの先端側の把手部１６，１６に手を掛ければ良いことから、容易にウォータサーバまで移動させることが出来る。即ち、天面内フラップ１４ｂ，１４ｄが収納箱１０の天面より上に引き出されることから、ユーザは、腰を屈める角度を小さくすることが出来、力の弱い者も容易に収納箱１０を移動させることが出来る。即ち、把手部１６，１６が形成された天面内フラップ１４ｂ，１４ｄは、それぞれの基端部から自由端までの長さＬが、一側面１１ｂと他側面１１ｄの間の距離Ｗの半分又は半分以上若しくは半分を超える長さに設定されることで、ユーザの腰を屈める角度を小さくすることが出来る。把手部１６，１６が形成された天面内フラップ１４ｂ，１４ｄの長さＬは、一定の長さ以下であれば特に限定されるものではなく、長さＬが前面１１ａ及び背面１１ｃの幅Ｗのほぼ１／２の長さより短くても良い。
【００２４】
ところで、把手部１６，１６が形成されるフラップは、一定の長さ以下であれば、長いほど、ユーザが腰を屈める角度は少なく済む。そこで、図４Ａに示すように、天面内フラップ１４ｂ，１４ｄの長さＬは、前面１１ａ及び背面１１ｃの幅Ｗと同じ長さとしても良い。即ち、天面内フラップ１４ｂ，１４ｄの基端部から自由端までの長さＬが一側面１１ｂと他側面１１ｄの間の距離Ｗ程度に設定するようにしても良い。これにより、天面内フラップ１４ｂ，１４ｄは、長くなり、ユーザが腰を屈める角度は少なくすることが出来る。
【００２５】
ところで、図４Ｂに示すように、側面１１ｂ，１１ｄの幅を前面１１ａ及び背面１１ｃの幅より狭くしても良い。例えば、ウォータサーバを構成するサーバ本体の幅を狭くして小型化を図った場合には、ウォータサーバを構成するサーバ本体の容器装着部もこれに合わせて狭くなる。このような場合において、サーバ本体の容器装着部に流体容器１を収納箱ごと装着するときには、収納箱１０の底面が長方形状を成すように形成するとよい。図４Ｂのような収納箱１０の場合、把手部１６，１６が形成された天面内フラップ１４ｂ，１４ｄの長さＬを天面の幅Ｗと同じにすることが出来、天面の長辺に合わせた天面内フラップ１４ｂ，１４ｄの長さＬを確保することが出来る。これにより、天面内フラップ１４ｂ，１４ｄは、一層長くなり、ユーザが腰を屈める角度をより少なくすることが出来る。
【００２６】
また、図４Ｃに示すように、天面内フラップ１４ｂ，１４ｄの基端部から自由端までの中間部位に、基端部から自由端に亘る方向に対して直交する谷折り又は山折りの折曲線１７を形成するようにしても良い。この場合、それぞれの天面内フラップ１４ｂ，１４ｄは二つ折りされて、折曲線１７の部分が互いに突き合わされることになる。
【００２７】
更に、天面内フラップ１４ｂ，１４ｄの長さＬは、幅Ｗより長くしても良い。即ち、図４Ｄに示すように、各天面内フラップ１４ｂ，１４ｄは、前面１１ａ及び背面１１ｃの幅Ｗの二倍の長さＬとなっており、長さ方向の中間部位に谷折り又は山折りの折曲線１７が形成されている。直立したユーザが僅かに腰及び／又は膝等を曲げた体勢で手を垂下させた状態における踵から手までの距離に比べて過短である場合に、ユーザは、所定のタイミングで、折曲線１７で折り畳まれている天面内フラップ１４ｂ，１４ｄを展開して延ばして使用する。これにより、天面内フラップ１４ｂ，１４ｄは、その長さＬが前面１１ａ及び背面１１ｃの幅Ｗよりも長くなり、より一層ユーザが腰を屈める角度をより少なくすることが出来る。特に、図４Ａ〜Ｄは、天面内フラップ１４ｂ，１４ｄを展開すると把手部１６，１６の位置が高くなるので、長身の者にとっても使い易いものとなる。なお、図４Ｄの例において、天面内フラップ１４ｂ，１４ｄの長さＬは、前面１１ａ及び背面１１ｃの幅Ｗの二倍に限定されるものではなく、例えば、一倍から二倍の間でも良く、二倍以上であっても良い。二倍以上とするときには、折曲線１７を複数本、互いに平行に形成すれば良い。
【００２８】
＜第二実施形態＞
次に、本発明を適用した収納箱の第二実施形態を説明する。この収納箱２０は、ワンピースで構成され、組み立てるにあたって、接着剤、粘着テープ、封緘材等を用いることなく組み立てることが出来るものである。
【００２９】
この収納箱２０は、図５及び図６に示すように、段ボールや厚紙を折曲してなる六面体であり、ワンピースで構成される。即ち、収納箱２０は、収納部２１を構成する前面２２ａ，一側面２２ｂ，背面２２ｃ，他側面２２ｄ，底面２２ｅを有し、更に、前面２２ａには、天面を構成する第一天面フラップ２３ａが連設され、一側面２２ｂには、第二天面フラップ２３ｂが連設され、他側面２２ｄには、第三天面フラップ２３ｃが連設され、背面２２ｃには、第四天面フラップ２３ｄが設けられている。
【００３０】
また、前面２２ａには、第一折込片２４ａが設けられ、一側面２２ｂには、第二折込片２４ｂが設けられている。更に、一側面２２ｂには、第三折込片２４ｃが設けられ、背面２２ｃには、第四折込片２４ｄが設けられている。更に、背面２２ｃには、第五折込片２４ｅが設けられ、他側面２２ｄには、第六折込片２４ｆが設けられている。更に、他側面２２ｄには、第七折込片２４ｇが設けられ、前面２２ａには、第八折込片２４ｈが設けられている。
【００３１】
以上のような収納箱２０を組み立てるには、図６及び図７に示すように、底面２２ｅを下にして、底面２２ｅの四辺の折曲線２５に沿って前面２２ａ，一側面２２ｂ，背面２２ｃ，他側面２２ｄを内側に折り込む。この際、前面２２ａ及び一側面２２ｂの間の第一及び第二折込片２４ａ，２４ｂを折曲線２６に沿って内側に折り込み、また、一側面２２ｂ及び背面２２ｃの間の第三及び第四折込片２４ｃ，２４ｄを折曲線２６に沿って内側に折り込む。そして、第四折込片２４ｄの第一係止片２７ａを第一折込片２４ａの第一係止口２７ｂに係止する。また、背面２２ｃ及び他側面２２ｄの間の第五及び第六折込片２４ｅ，２４ｆを折曲線２６に沿って内側に折り込み、また、他側面２２ｄ及び前面２２ａの間の第七及び第八折込片２４ｇ，２４ｈを折曲線２６に沿って内側に折り込む。そして、第八折込片２４ｈの第二係止片２８ａを第五折込片２４ｅの第二係止口２８ｂに係止する。かくして、収納箱２０は、天面が開放された収納部２１が構成される。この収納部２１には、図８に示すように、満水の流体容器１がネック部２を上にして内部に収納される。
【００３２】
天面を閉塞するには、図８に示すように、先ず、前面２２ａに連設された第一天面フラップ２３ａが折曲線２９に沿って収納部２１の天面を閉塞するように折り込まれる。この際、第一天面フラップ２３ａには、流体容器１のネック部２が係合される第一ネック係合部３１ａが係合される。また、第一天面フラップ２３ａには、第一係合片３２ａと第二係合片３２ｂが形成され、第一係合片３２ａと第二係合片３２ｂは、折曲線３３に沿って折曲され、側面２２ｂ，２２ｄに沿うように差し込まれる（図８中（１）参照）。
【００３３】
次いで、第一天面フラップ２３ａ上には、一側面２２ｂに連設された第二天面フラップ２３ｂが折曲線２９に沿って収納部２１上の第一天面フラップ２３ａに重畳するように折り込まれる（図８中（２）参照）。第二天面フラップ２３ｂは、把手部３４ａと第二ネック係合部３１ｂとが連設されており、第二ネック係合部３１ｂには、流体容器１のネック部２が係合される。次いで、第二天面フラップ２３ｂ上には、他側面２２ｄに連設された第三天面フラップ２３ｃが折曲線２９に沿って収納部２１上の第二天面フラップ２３ｂに重畳するように折り込まれる（図８中（３）参照）。第三天面フラップ２３ｃは、把手部３４ｂと第三ネック係合部３１ｃとが連設されており、第三ネック係合部３１ｃには、流体容器１のキャップ４が係合される。なお、第二天面フラップ２３ｂと第三天面フラップ２３ｃを折り曲げる順番は、第三天面フラップ２３ｃを先に折り曲げるようにしても良い。
【００３４】
最後に、第三天面フラップ２３ｃ上には、背面２２ｃに連設された第四天面フラップ２３ｄが折曲線２９に沿って収納部２１上の第三天面フラップ２３ｃに重畳するように折り込まれる（図８中（４）参照）。第四天面フラップ２３ｄは、第四ネック係合部３１ｄが設けられており、第四ネック係合部３１ｄには、流体容器１のキャップ４が係合される。更に、第四天面フラップ２３ｄの先端部には、第一ロック片３５が設けられている。第一ロック片３５は、折曲線３７に沿って折曲され、前面２２ａと第一天面フラップ２３ａとの間の折曲線２９に沿って形成された第一スリット３５ａに挿入される。また、前面２２ａと第一天面フラップ２３ａに折曲線２９や第一スリット３５ａを跨いでＣ字状に打ち抜き形成された第二ロック片３６は、第四天面フラップ２３ｄと第一ロック片３５との間の折曲線３７に沿って形成された第二スリット３６ａに挿入される。かくして、収納部２１の天井は、第一乃至第四フラップ２３ａ〜２３ｄによって閉塞される。
【００３５】
流体容器１は、以上のような収納箱２０に収納され、出荷され搬送される。この収納箱２０は、収納部２１の周囲が第一乃至第八折込片２４ａ〜２４ｈによって二重構造となっており、丈夫な構成となっている。従って、収納物である流体容器１を外部からの衝撃から保護することが出来、また、流体容器１は、底面２２ｅとその周囲の前面２２ａ，一側面２２ｂ，背面２２ｃ及び他側面２２ｄによって下から包み込むように収納部２１に収納されるので、仮に、流体容器１に衝撃等で亀裂が入ったとしても、漏水することを防止することが出来る。また、収納箱２０の天面からは、第四ネック係合部３１ｄから流体容器１のキャップ４が外部に臨まされており、ユーザは、内容物が収納されていることを認識することが出来、また、キャップ４の露出面に印刷された文字や柄を見て、収納物が何であるかを知ることが出来る。また、この収納箱２０は、接着剤、粘着テープ、封緘材等を用いることなく、組み立てることが出来、接着剤等の削減を図ることが出来ると共に、廃棄の際に、封緘材等を分別することも不要となる。
【００３６】
図９に示すように、収納部２１内の流体容器１は、第一乃至第四フラップ２３ａ〜２３ｄの第一乃至第四ネック係合部３１ａ〜３１ｄに係合保持されることになり、収納部２１内でがたつくことを防止することが出来る。なお、ネック係合部３１ａ〜３１ｄは、少なくとも、天面の一番下に位置する第一天面フラップ２３ａに設けられていれば、第二乃至第四天面フラップ２３ｂ〜２３ｄに形成されていなくても良い。
【００３７】
ウォータサーバを構成するサーバ本体の容器装着部には、流体容器１が、流体容器１を収納箱２０から取り出した状態で、又は、収納箱２０の天面を開いた状態で装着される。何れの装着方法であっても、ユーザは、収納箱２０が配達された後であっても、未開封の収納箱２０をサーバ本体の容器装着部に装着するため、ウォータサーバまで運ぶ必要がある。この際には、第二ロック片３６を第二スリット３６ａから引き抜き、更に、第一ロック片３５を第一スリット３５ａから引き抜いて、天面を開放する。この状態で、ユーザは、収納箱２０の天面より上側に位置する第二天面フラップ２３ｂと第三天面フラップ２３ｃに形成された把手部３４ａ，３４ｂに手を掛けて流体容器１が収納された収納箱２０をウォータサーバまで移動することが出来る。従って、ユーザは、腰を屈める角度を少なくすることが出来、長身の者や力の弱い者も容易に収納箱１０を移動させることが出来るようになる。
【００３８】
ところで、収納箱２０は、次のような構成によっても、ワンピースで構成し、接着剤、粘着テープ、封緘材等を用いることなく組み立てることが出来る。図１０及び図１１に示すように、この収納箱４０は、前面２２ａ，一側面２２ｂ，背面２２ｃ，他側面２２ｄ，底面２２ｅを有し、更に、前面２２ａには、天面を構成する第一天面フラップ２３ａが連設され、一側面２２ｂには、第二天面フラップ２３ｂが連設され、他側面２２ｄには、第三天面フラップ２３ｃが連設され、背面２２ｃには、第四天面フラップ２３ｄが連設されている。
【００３９】
また、前面２２ａには、第一折込片４１ａが連設され、一側面２２ｂには、第二折込片４１ｂが連設されている。更に、一側面２２ｂには、第三折込片４１ｃが設けられ、背面２２ｃには、第四折込片４１ｄが設けられている。更に、背面２２ｃには、第五折込片４１ｅが設けられ、他側面２２ｄには、第六折込片４１ｆが設けられている。更に、他側面２２ｄには、第七折込片４１ｇが設けられ、前面２２ａには、第八折込片４１ｈが設けられている。
【００４０】
以上のような収納箱４０を組み立てるには、底面２２ｅを下にして、底面２２ｅの四辺の折曲線２５に沿って前面２２ａ，一側面２２ｂ，背面２２ｃ，他側面２２ｄを内側に折り込む。この際、前面２２ａ及び一側面２２ｂの間の第一及び第二折込片４１ａ，４１ｂを折曲線４２に沿って内側に折り込み、また、一側面２２ｂ及び背面２２ｃの間の第三及び第四折込片４１ｃ，４１ｄを折曲線４２に沿って内側に折り込む。そして、第一折込片４１ａの第一係止溝４３ａを第四折込片４１ｄの第一係止溝４３ｂに係止する。また、背面２２ｃ及び他側面２２ｄの間の第五及び第六折込片４１ｅ，４１ｆを折曲線４２に沿って内側に折り込み、また、他側面２２ｄ及び前面２２ａの間の第七及び第八折込片４１ｇ，４１ｈを折曲線４２に沿って内側に折り込む。そして、第八折込片４１ｈの第二係止溝４４ａを第五折込片４１ｅの第二係止溝４４ｂに係止する。かくして、収納箱４０は、天面が開放された収納部が構成される。この収納部には、満水の流体容器１がネック部２を上にして内部に収納される。
【００４１】
天面を閉塞するには、図１１に示すように、側面２２ｂ，２２ｄに連設された第二及び第三天面フラップ２３ｂ，２３ｃが折曲線４４に沿って収納部の天面を閉塞するように折り込まれ、更に、折込片４５ａ，４５ｂが折曲線４６に沿ってほぼ９０°折曲され、更に、舌片４７ａ，４７ｂが折曲線４８に沿ってほぼ９０°折曲される。第二及び第三天面フラップ２３ｂ，２３ｃ、折込片４５ａ，４５ｂ及び舌片４７ａ，４７ｂには、第一及び第二ネック係合部４９ａ，４９ｂが設けられており、第一及び第二ネック係合部４９ａ，４９ｂは、折込片４５ａ，４５ｂと舌片４７ａ，４７ｂとを折り曲げることで、折込片４５ａ，４５ｂの幅分の深さを有する貫通孔となる。所定の深さを有する貫通孔となった第一及び第二ネック係合部４９ａ，４９ｂには、流体容器１がネック部２が係合される。また、第二及び第三天面フラップ２３ｂ，２３ｃには、第一係合片５０ａと第二係合片５０ｂが形成され、第一係合片５０ａと第二係合片５０ｂは、折曲線５１に沿って折曲され、側面２２ｂ，２２ｄに沿うように差し込まれる。
【００４２】
最後に、第二及び第三天面フラップ２３ｂ，２３ｃ上には、背面２２ｃに連設された第四天面フラップ２３ｄが折曲線４４に沿って第二及び第三天面フラップ２３ｂ，２３ｃに重畳するように折り込まれる。第四天面フラップ２３ｄは、キャップ４やネック部２が係合すると共にユーザの手が掛けられる把手部４９ｃが設けられており、折曲線４４側のコーナ部が第一及び第二ネック係合部４９ａ，４９ｂと重なるネック係合部となり、先端側が把手部となるように構成されている。また、第一天面フラップ２３ａは、キャップ４やネック部２が係合すると共にユーザの手が掛けられる把手部４９ｄが設けられており、折曲線４４側のコーナ部が第一及び第二ネック係合部４９ａ，４９ｂと重なるネック係合部となり、先端側が把手部となるように構成されている。
【００４３】
更に、第四天面フラップ２３ｄの先端部には、第一ロック片３５が設けられている。第一ロック片３５は、折曲線３７に沿って折曲され、前面２２ａと第一天面フラップ２３ａとの間の折曲線４４に沿って形成された第一スリット３５ａに挿入される。また、前面２２ａと第一天面フラップ２３ａに折曲線４４や第一スリット３５ａを跨いでＣ字状に打ち抜き形成された第二ロック片３６は、第四天面フラップ２３ｄと第一ロック片３５との間の折曲線３７に沿って形成された第二スリット３６ａに挿入される。かくして、収納箱４０の天面は、収納部２１の天井は、第一乃至第四フラップ２３ａ〜２３ｄによって閉塞される。
【００４４】
流体容器１は、以上のような収納箱４０に収納され、出荷され搬送される。この収納箱４０は、収納部の周囲が第一乃至第八折込片４１ａ〜４１ｈによって二重構造となっており、丈夫な構成となっている。従って、収納物である流体容器１を外部からの衝撃から保護することが出来、また、流体容器１は、底面２２ｅとその周囲の前面２２ａ，一側面２２ｂ，背面２２ｃ及び他側面２２ｄによって下から包み込むように収納されるので、仮に、流体容器１に衝撃等で亀裂が入ったとしても、漏水することを防止することが出来る。また、収納箱４０の天面からは、把手部４９ｃから流体容器１のキャップ４が外部に臨まされており、ユーザは、内容物が収納されていることを認識することが出来、また、キャップ４の露出面に印刷された文字や柄を見て、収納物が何であるかを知ることが出来る。また、この収納箱４０は、接着剤、粘着テープ、封緘材等を用いることなく、組み立てることが出来、接着剤等の削減を図ることが出来ると共に、廃棄の際に、封緘材等を分別することも不要となる。
【００４５】
ウォータサーバを構成するサーバ本体の容器装着部には、流体容器１が、流体容器１を収納箱４０から取り出した状態で、又は、収納箱４０の天面を開いた状態で装着される。何れの装着方法であっても、ユーザは、収納箱４０が配達された後であっても、未開封の収納箱４０をサーバ本体の容器装着部に装着するため、ウォータサーバまで運ぶ必要がある。この際には、第二ロック片３６を第二スリット３６ａから引き抜き、更に、第一ロック片３５を第一スリット３５ａから引き抜く。この状態で、ユーザは、収納箱４０の天面より上側に位置する第一天面フラップ２３ａと第四天面フラップ２３ｄに形成された把手部４９ｃ，４９ｄの直線部に手を掛けて流体容器１が収納された収納箱４０をウォータサーバまで移動することが出来る。従って、ユーザは、腰を屈める角度を少なくすることが出来、長身の者や力の弱い者も容易に収納箱４０を移動させることが出来るようになる。
【００４６】
なお、第二実施形態で説明した収納箱２０，４０において、第一乃至第八折込片２４ａ〜２４ｈ，４１ａ〜４１ｆの形状や連結方法は、以上の例に限定されるものではない。
【００４７】
また、本発明では、把手部が相対するフラップに形成されている収納箱であればその他の収納箱の構成は特に限定されるものではない。例えば、以上の例では、収納箱１０，２０，４０に、流体容器１をネック部２を上向きにして収納する場合を説明したが、本発明では、図１２に示すように、流体容器１を、ネック部２を下向きにして収納するようにしても良い。
【００４８】
具体的に、このような流体容器１を収納する収納箱６０は、図１２に示すように、流体容器１を下向きに収納し、底面にネック部２を外部に臨ませる開口部６５を有する収納部６１と、ネック部２を外部に臨ませる開口部６５を閉塞する閉塞部７１とを有する。収納部６１と閉塞部７１とは、一体であっても別体であっても良いが、ここでは、先ず別体の例を説明する。
【００４９】
収納部６１は、段ボールや厚紙を折曲してなる六面体であり、ワンピースで構成される。即ち、収納部６１は、図１３に示すように、前面６１ａ，一側面６１ｂ，背面６１ｃ，他側面６１ｄとが折曲線６２に沿って一連に連結されている。更に、他側面６１ｄには、更に、折曲線６２に沿って継ぎしろ６４が形成されている。また、前面６１ａ，一側面６１ｂ，背面６１ｃ，他側面６１ｄには、天面を構成するための、フラップ６３ａ，６３ｂ，６３ｃ，６３ｄが折曲線６２に沿って連結されている。相対するフラップ、即ちフラップ６３ａ，６３ｃには、把手部７０，７０が形成されている。なお、把手部７０，７０は、相対するフラップ６３ｂ，６３ｄに形成しても良いし、全てのフラップ６３ａ，６３ｂ，６３ｃ，６３ｄに設けるようにしても良い。
【００５０】
また、底面側には、開口部６５が設けられると共に、下向きに収納する流体容器１のネック部２の周囲を支持する容器支持部６６〜６９が設けられている。各容器支持部６６〜６９は、台形状の底面６６ａ〜６９ａと、内側面６６ｂ〜６９ｂと、ネック部２の周囲を支持する支持面６６ｃ〜６９ｃと、外側面６６ｄ〜６９ｄと、先端部６６ｅ〜６９ｅとが折曲線６２を介して設けられている。底面６６ａ〜６９ａを除く、内側面６６ｂ〜６９ｂ、支持面６６ｃ〜６９ｃ、外側面６６ｄ〜６９ｄ、及び、先端部６６ｅ〜６９ｅは、底面６６ａ〜６９ａより幅狭に形成され、ネック部２を係合保持する開口部６５を形成するようにしている。なお、先端部６６ｅ〜６９ｅの形状は、三角形状の他に、矩形形状であっても良い。
【００５１】
以上のような収納部６１を組み立てるには、図１２及び図１３に示すように、先ず、継ぎしろ６４を前面６１ａに接着剤、粘着テープ、封緘材等で結合して環状とした後、フラップ６３ａ，６３ｂ，６３ｃ，６３ｄを折曲線６２に沿って内側に折り込み、次いで、相対するフラップを突き合わせた後、接着剤、粘着テープ、封緘材等で結合し天面を構成する。流体容器１を収納するには、天面を組み立てた後、この天面を底面のようにして、開放側から流体容器１を、容器の底面が収納部６１の天面に支持されるように収納する。
【００５２】
この後、前面６１ａ，一側面６１ｂ，背面６１ｃ，他側面６１ｄに対して、底面６６ａ〜６９ａを折曲線６２に沿ってほぼ９０°内側に折り返し、更に、底面６６ａ〜６９ａに対して内側面６６ｂ〜６９ｂを折曲線６２に沿ってほぼ９０°内側に折り返し、更に、内側面６６ｂ〜６９ｂに対して支持面６６ｃ〜６９ｃを折曲線６２に沿ってほぼ９０°内側に折り返し、更に、支持面６６ｃ〜６９ｃに対して外側面６６ｄ〜６９ｄを折曲線６２に沿ってほぼ９０°内側に折り返し、更に、外側面６６ｄ〜６９ｄに対して先端部６６ｅ〜６９ｅを折曲線６２に沿ってほぼ９０°内側に折り返す。これにより、開口部６５の周囲に箱状の容器支持部６６〜６９が構成される。収納部６１には、開口部６５に、流体容器１のネック部２が係合され、更に、ネック部２の周囲が容器支持部６６〜６９に支持されることになる。勿論、容器支持部６６〜６９を組み立ててから流体容器１を収納し、この後、フラップ６３ａ，６３ｂ，６３ｃ，６３ｄを折曲線６２に沿って内側に折り込み、次いで、相対するフラップを突き合わせた後、接着剤、粘着テープ、封緘材等で結合し天面を構成するようにしても良い。
【００５３】
開口部６５の深さは、ネック部２の先端が収納箱１１の内側に位置するような寸法であっても良いが、ここでは、サーバ本体の容器装着部の底面に設けられたサーバコネクタに容易に接続出来るように、ネック部２の先端が外側に突出する寸法となっている。ネック部２の先端が露出する開口部６５は、収納部６１の底面側に配設される閉塞部７１に閉塞されることになる。なお、ネック部２の先端が開口部６５より突出しないときには、開口部６５をフィルム等のシート材で閉塞するようにし、これを閉塞部としても良い。
【００５４】
収納部６１を閉塞する閉塞部７１は、図１４（Ａ）及び（Ｂ）に示すように、矩形の段ボールや厚紙を折曲してなり、矩形状の底面７２ａと、底面７２ａの両側に折曲線７３に沿って設けられる外側面７２ｂ，７２ｃと、側面７２ｂ，７２ｃの両側に折曲線７３に沿って設けられる天面７２ｄ，７２ｅと、天面７２ｄ，７２ｅの両側に折曲線７３に沿って設けられる内側面７２ｆ，７２ｇと、内側面７２ｆ，７２ｇの両側に折曲線７３に沿って設けられる先端部７２ｈ，７２ｉとを有している。
【００５５】
このような閉塞部７１は、底面７２ａに対して折曲線７３に沿ってほぼ垂直に外側面７２ｂ，７２ｃをほぼ９０°内側に折り込み、次いで、外側面７２ｂ，７２ｃに対して折曲線７３に沿ってほぼ９０°天面７２ｄ，７２ｅを折り込み、更に、天面７２ｄ，７２ｅに対して折曲線７３に沿ってほぼ９０°内側面７２ｆ，７２ｇを内側に折り込み、最後に、先端部７２ｈ，７２ｉを内側面７２ｆ，７２ｇに対してほぼ９０°外側に折り込み、先端部７２ｈ，７２ｉを底面７２ａ上で突き当てる。先端部７２ｈ，７２ｉは、底面７２ａ上で突き当てられることで、閉塞部７１の収納部６１を支持する天面には、前面及び背面の幅方向中央領域において凹溝が構成される。この凹溝は、収納部６１の底面の開口部６５から外部に臨まされたネック部２が係合される係合支持部７４となる。即ち、この閉塞部７１の天面全体は、収納部６１の底面と同じ形状及び同じ大きさに形成され、収納部６１が積み上げられたとき、係合支持部７４の両側が支持面７４ａ，７４ａとなって収納部６１を支持することになる。勿論、閉塞部７１の天面全体は、収納部６１を安定支持出来るのであれば、若干、収納部６１の底面と形状や大きさが異なっていても良い。
【００５６】
また、閉塞部７１は、折り返された先端部７２ｈ，７２ｉが底面７２ａ上で突き合わされることで、支持面７４ａ，７４ａに収納部６１の荷重が加わったときにも、一方の先端部７２ｈが他方の先端部７２ｉの側にずれ込むことが無くなり、また、先端部７２ｉが先端部７２ｈの方にずれ込むことを防止することが出来る。これにより、外側面７２ｂ，７２ｃや内側面７２ｆ，７２ｇは、底面７２ａに対して垂直な状態が維持され、大きな荷重も支持面７４ａ，７４ａで支持出来るようになる。
【００５７】
係合支持部７４を構成する凹溝の幅方向両側には、支持面７４ａ，７４ａを含む断面矩形状の筒状部が設けられ、前面と背面の開口部が足掛部７５，７５となる。足掛部７５，７５には、収納部６１から閉塞部７１を取り外すときに、ユーザのつま先が足掛部７５，７５の何れかに挿入され、底面７２ａを踏み付けることで、収納部６１は、持ち上げたときに一緒に閉塞部７１が持ち上がってしまうことを防止することが出来、閉塞部７１から容易に取り外すことが出来る。収納部６１は、把手部７０，７０に手を掛けることで容易に持ち上げることが出来る。
【００５８】
閉塞部７１が取り外されると、収納部６１の底面の開口部６５からは、下向きに収納された流体容器１のネック部２が外部に臨むように構成される。ウォータサーバのサーバ本体の下側に設けられた容器装着部には、底面にサーバコネクタが設けられている。従って、ユーザは、流体容器１を上下反転させる作業をすることなく、そのまま容器装着部に装着することが出来る。そして、例えば、満水の流体容器１の重さを利用して、サーバコネクタと自動的に接続することが出来る。
【００５９】
このような収納箱６０では、移動させる際に、把手部７０，７０に手を掛ければ良いことから、容易にウォータサーバまで移動させることが出来る。即ち、把手部７０，７０が形成されたフラップ６３ａ，６３ｃ又は６３ｂ，６３ｄが収納箱６０の天面より上に引き出されることから、ユーザは、腰を屈める角度を少なくすることが出来、長身の者や力の弱い者も容易に収納箱６０を移動させることが出来るようになる。また、把手部７０，７０を持って収納箱６０から引き上げることで、閉塞部７１を収納箱６０から容易に分離させることが出来る。
【００６０】
なお、係合支持部７４となる溝の幅Ｗをキャップ４の直径Ｒとほぼ同じにして、キャップ４やネック部２を係合支持部７４に係合させて、ネック部２と係合支持部７４との係合力で閉塞部７１を収納部６１に一体化しても良いが、更に、次のようにしても良い。即ち、閉塞部７１の天面全体が収納部６１の底面と同じ形状及び同じ大きさの場合には、収納部６１の側面と閉塞部７１の外側面とが連続し面一となることから、粘着テープ、封緘材等を用いて閉塞部７１上に収納部６１を連結するようにしても良い。また、収納部６１と閉塞部７１とが一連のとき、収納部６１と閉塞部７１との境界部にミシン目等を設けて、ミシン目から収納部６１と閉塞部７１とが分離されるようにしても良い。
【００６１】
なお、以上、収納部６１と閉塞部７１とが別体の場合を説明したが、収納部６１と閉塞部７１は、ワンピースで構成するようにしても良い。
【００６２】
＜第三実施形態＞
また、図１５〜図１８に示すように、本発明の第三実施形態となる収納箱１００は、流体容器１を下向きに収納し得、流体容器１を下向きにした際の底面にネック部２を外部に臨ませる開口部１０５を有する収納部１０１と、ネック部２を外部に臨ませる開口部１０５を閉塞する閉塞部となるキャップ１２１とを有する。
【００６３】
収納部１０１は、図１９Ａに示すように、段ボールや厚紙を折曲してなる六面体であり、ワンピースで構成される。即ち、収納箱１００は、前面１０１ａ，一側面１０１ｂ，背面１０１ｃ，他側面１０１ｄとが折曲線１０２を介して一連に連結されている。更に、前面１０１ａ，一側面１０１ｂ，背面１０１ｃ，他側面１０１ｄには、収納箱１００の底面を構成するための、底面外フラップ１０３ａ，１０３ｃと底面内フラップ１０３ｂ，１０３ｄが折曲線１０２を介して連結されている。底面内フラップ１０３ｂ，１０３ｄは、一側面１０１ｂ，１０１ｄに形成され、突き合わせフラップとなっている。また、底面外フラップ１０３ａ，１０３ｃは、前面１０１ａ、背面１０１ｃに形成され、底面外フラップ１０３ａが底面のほぼ全体を覆う大きさとなっている。
【００６４】
また、前面１０１ａ，一側面１０１ｂ，背面１０１ｃ，他側面１０１ｄには、天面１０１ｅを構成するための、天面外フラップ１０４ａ，１０４ｃと天面内フラップ１０４ｂ，１０４ｄが折曲線１０２を介して連結されている。天面内フラップ１０４ｂ，１０４ｄは、一側面１０１ｂ，１０１ｄに形成され、突き合わせフラップとなっている。また、天面外フラップ１０４ａ，１０４ｃは、前面１０１ａ，背面１０１ｃに形成され、それぞれが天面のほぼ全体を覆う大きさとなっている。
【００６５】
更に、一側面１０１ｂには、継ぎしろ１０６が形成されている。
【００６６】
先ず、底面１０１ｆから説明すると、図１７及び図１９Ａに示すように、底面内フラップ１０３ｂ，１０３ｄは、収納部１０１の底面１０１ｆの長さＬ１の１／２の長さを有しており、その先端部の幅方向ほぼ中央には、底面の開口部１０５を構成するための半円状の内側半開口１０５ａ，１０５ａが形成され、また、底面外フラップ１０３ａには、外側開口１０５ｂが形成されている。図１８に示すように、底面内フラップ１０３ｂ，１０３ｄと底面外フラップ１０３ａとが折り畳まれ重なったとき、突き合わされ円形となった内側半開口１０５ａ，１０５ａと外側開口１０５ｂとは一致し、貫通した開口部１０５を構成し、流体容器１のネック部２やキャップ４が係合し得るようにする。また、底面内フラップ１０３ｂ，１０３ｄの先端部には、図１９Ａに示すように、内側半開口１０５ａ，１０５ａの両側に、互いに係合する第一底面側凹凸部１０８ａ，１０８ｂが形成されている。第一底面側凹凸部１０８ａ，１０８ｂは、底面内フラップ１０３ｂ，１０３ｄが畳まれ先端部が突き合わされたとき、互いに係合することで、収納部１０１の第一底面側凹凸部１０８ａ，１０８ｂが延在する前面１０１ａから背面１０１ｃに亘る方向（図１７中矢印Ｄ１方向）の変形を防止する。
【００６７】
また、外側開口１０５ｂが形成された底面外フラップ１０３ａは、図１７及び図１９Ａに示すように、底面１０１ｆのほぼ全体を覆う大きさとなっており、底面外フラップ１０３ｃは、相対的に、底面外フラップ１０３ａより短いものとなっている。底面外フラップ１０３ａ，１０３ｃの先端部にも、互いに係合する第二底面側凹凸部１０９ａ，１０９ｂが形成されている。第二底面側凹凸部１０９ａ，１０９ｂは、底面外フラップ１０３ａ，１０３ｃが畳まれ先端部が突き合わされたとき、互いに係合することで、収納部１０１の第二底面側凹凸部１０９ａ，１０９ｂが延在する他側面１０１ｄに亘る方向（図１７中矢印Ｄ２方向）の変形を防止する。
【００６８】
次に、天面１０１ｅを説明すると、図１５、図１６及び図１９Ａに示すように、天面内フラップ１０４ｂ，１０４ｄは、収納部１０１の天面の長さＬ１の１／２の長さを有している。また、天面内フラップ１０４ｂ，１０４ｄの先端部には、互いに係合する天面側凹凸部１１１，１１１が形成されている。天面側凹凸部１１１，１１１は、天面内フラップ１０４ｂ，１０４ｄが畳まれ先端部が突き合わされたとき、互いに係合することで、収納部１０１の天面側凹凸部１１１，１１１が延在する前面１０１ａから背面１０１ｃに亘る方向（図１７中矢印Ｄ１方向）の変形を防止する。
【００６９】
また、天面外フラップ１０４ａ，１０４ｃは、図１６及び図１９Ａに示すように、それぞれが天面１０１ｅのほぼ全体を覆う大きさとなっている。天面外フラップ１０４ａ，１０４ｃには、把手部１０７，１０７が形成されている。把手部１０７，１０７は、Ｕ字状の切り込み１０７ａ，１０７ａを形成し、切り込み１０７ａ，１０７ａによって構成された舌片１０７ｂ，１０７ｂを指先等で内側に押し込むことによって把手部が形成される構成となっている。
【００７０】
図２０及び図２１に示すように、背面１０１ｃに形成された天面外フラップ１０４ａには、天面１０１ｅを開封する開封機構１１２が設けられている。開封機構１１２は、図１９Ａ及び図２１に示すように、天面１０１ｅを開閉する開閉部１１２ａと、天面外フラップ１０４ａの先端側に形成され相対する天面外フラップ１０４ｃに固定される固定部１１２ｂと、開閉部１１２ａに形成される係合部１１２ｃと、固定部１１２ｂに形成され係合部１１２ｃと係合する被係合部１１２ｄと、開閉部１１２ａと固定部１１２ｂとの間を連結する離断部１１２ｅとを有する。
【００７１】
開閉部１１２ａは、天面外フラップ１０４ａの先端部の固定部１１２ｂを除く部分となり、固定部１１２ｂは、天面外フラップ１０４ａの先端部の両端を除く部分に矩形状に形成されている。この固定部１１２ｂは、両辺に切り込み１１２ｆを形成し、開閉部１１２ａと分離することによって構成され、接着剤等の固定手段によって、天面外フラップ１０４ｃの基端側に固定される。従って、天面外フラップ１０４ａの先端部には、固定部１１２ｂが形成された分、Ｕ字状の凹部１１２ｇが形成されることになる。開閉部１１２ａの切り込み１１２ｆによって形成された両辺は、係合部１１２ｃ，１１２ｃとなり、相対する固定部１１２ｂの被係合部１１２ｄ，１１２ｄと係合する。ここでは、係合部１１２ｃと被係合部１１２ｄは、傾斜辺となっており、一方が凸部、他方が凹部となるように切り込み１１２ｆを入れることによって形成される。固定部１１２ｂと固定部１１２ｂによって開閉部１１２の先端部に設けられた凹部１１２ｇの底部との間には、ミシン目やハーフカットによって離断部１１２ｅが形成されている。離断部１１２ｅの一端部には、切除開始時にユーザが指を挿入する挿入口１１２ｈが形成されている。離断部１１２ｅは、長尺をなし、例えば収納箱１００の材料の撓み特性を利用して、図２０に示すように、撓ませながらミシン目やハーフカットに沿って引っ張られることで開閉部１２１ａと固定部１２１ｂとを離断することが出来る。これにより、開閉部１１２ａと固定部１１２ｂとを分離し、開閉部１１２ａを開閉出来る。
【００７２】
即ち、この収納箱１００は、タンパエビデンス構造を有することになり、ユーザの手元に届いたとき、切除部１１２ｅを切除することで開封することが出来る。ユーザは、離断部１１２ｄを切除することで、図１６に示すように、天面外フラップ１０４ａ，１０４ｃと天面内フラップ１０４ｂ，１０４ｄを折曲線１０２に沿って開くことが出来る。そして、ユーザは、天面外フラップ１０４ａ，１０４ｃの把手部１０７，１０７を持って収納箱１００を運ぶことが出来る。また、この収納箱１００は、ウォータサーバの装着部にそのまま装着することが出来る。この際、天面内フラップ１０４ｂ，１０４ｄを折曲線１０２に沿って閉じ、次いで、天面外フラップ１０４ａ，１０４ｃを閉じる。この際、開封機構１１２の係合部１１２ｃと被係合部１１２ｄとを係合させることで、離断部１１２ｄが無い状態であっても、天面外フラップ１０４ａを天面１０１ｅを閉じた状態に維持することが出来る。
【００７３】
なお、開封機構１１２は、図２２（Ａ）〜（Ｄ）等のように構成することも出来る。図２２（Ａ）では、上述のように、固定部１１２ｂと凹部１１２ｇの形状が台形状をなし、斜線の脚の部分に構成された凹凸で係合部１１２ｃと被係合部１１２ｄを形成するようにしている。また、図２２（Ｂ）に示すように、開封機構１１２は、係合部１１２ｃと被係合部１１２ｄの部分を、Ｃ字状又は逆Ｃ字状に形成することによって、凹凸を構成しても良い。更に、図２２（Ｃ）に示すように、係合部１１２ｃと被係合部１１２ｄの部分を、ジグザグ状にして凹凸を形成するようにしても良い。更に、図２２（Ｄ）の開封機構１１２では、外側に位置する天面外フラップ１０４ａの離断部１１２ｄにより切除された後の凸部が係合部１１２ｃとなる。また、固定部１１２ｂは、天面外フラップ１０４ａの内側に位置する天面外フラップ１０４ｃと一体的となり、固定部１１２ｂと一体的な天面外フラップ１０４ｃに、天面外フラップ１０４ａの離断部１１２ｄが切除されて形成された凸部状の係合部１１２ｃが挿入される被係合部１１２ｄとなるスリットが形成されている。図２２（Ｄ）の例においても、離断部１１２ｄが切除された後に、凸部状の係合部１１２ｃをスリット状の被係合部１１２ｄに挿入することで、離断部１１２ｄが無い状態であっても、天面外フラップ１０４ａを天面１０１ｅを閉じた状態に維持することが出来る。
【００７４】
上述した収納部１０１の底面に設けられた開口部１０５は、図１９Ｂ及び図２３に示すように、キャップ１２１によって閉塞されている。このキャップ１２１は、キャップ止め片１２２に係止されている。このキャップ止め片１２２は、収納部１０１の底面１０１ｆから背面１０１ｃに亘る内面に延在されるように長尺に形成され、先端部がキャップ１２１に係合されている。このキャップ止め片１２２は、先端部がＵ字状に形成され、キャップ１２１が係合される係合凹部１２３となっている。このキャップ止め片１２２は、底面１０１ｆから背面１０１ｃに亘って沿うように配置されるものであるので、収納部１０１の底面１０１ｆと背面１０１ｃとが成すコーナ部近傍では、ほぼ９０°のコーナ部に倣って折曲するように、長手方向に対して直交する互いに平行な折り目線１２４が形成されている。キャップ止め片１２２の基端部は、収納部１０１の天面１０１ｅより露出し、露出する部分に、把手部１２５が形成されている。キャップ止め片１２２は、ユーザが把手部１２５を持って引き抜くことで、係合凹部１２３がキャップ１２１と係合した状態を解除することが出来る。図１８に示すように、把手部１２５が形成されたキャップ止め片１２２の基端部は、天面１０１ｅにおいて、天面外フラップ１０４ｃと天面内フラップ１０４ｂ，１０４ｄとの間に延在され、天面外フラップ１０４ａ，１０４ｃが開かれたときに露出し、収納部１０１の内部から引き出すことが出来る。
【００７５】
開口部１０５を閉塞するキャップ１２１は、図２４（Ａ）〜（Ｃ）及び図２５（Ａ），（Ｂ）に示すように、開口部１０５に嵌合する横断面が円形の嵌合部１３１と、底面外フラップ１０３ａの開口部１０５の周辺の外面に当接する外フランジ１３２と、嵌合部１３１の外周部に形成されキャップ止め片１２２の係合凹部１２３が係合する係合溝１３３と、係合溝１３３と連続しキャップ止め片１２２の係合凹部１２３の周辺の内面に係合する内フランジ１３４と、底面外フラップ１０３ａの外側開口１０５ｂの周辺の内面に係合する中フランジ１３５と、キャップ１２１の裏面に形成されネック部２の先端部を支持するネック支持部１３６とを有する。
【００７６】
ここで、嵌合部１３１は、その直径Ｄ１が開口部１０５を構成する外側開口１０５ｂの直径とほぼ同じ径であり、外側開口１０５ｂと嵌合する。外フランジ１３２は、嵌合部１３１が収納部１０１の内部に入り込むことを防止するため、嵌合部１３１の直径Ｄ１より大きい直径Ｄ２を有し、底面外フラップ１０３ａの外側開口１０５ｂの周辺の外面に当接する。底面外フラップ１０３ａの外側開口１０５ｂの周辺の内面は、中フランジ１３５と係合する。中フランジ１３５は、係合凹部１２３の挿入側とは反対側に形成されており、底面外フラップ１０３ａの開口部１０５の周辺の内面と係合する。即ち、底面外フラップ１０３ａの外側開口１０５ｂの周辺は、外フランジ１３２と中フランジ１３５とで構成される溝に係合される。
【００７７】
係合溝１３３は、嵌合部１３１より小径に形成され、キャップ止め片１２２の係合凹部１２３が係合する。キャップ止め片１２２の係合凹部１２３は、嵌合部１３１と係合溝１３３の底面との成す段差部１３７と内フランジ１３４との間で上下方向が規制される。内フランジ１３４は、係合凹部１２３の挿入側に形成されている。
【００７８】
底面内フラップ１０３ｂ，１０３ｄを突き合わせ構成される円形の内側開口１０５ａ，１０５ａの直径Ｄ３は、外側開口１０５ｂより大径に形成されており、更に、内フランジ１３４の先端と中フランジ１３５の先端とを合わせた直径Ｄ４より大径に形成されている。従って、底面内フラップ１０３ｂ，１０３ｄの内側開口１０５ａ，１０５ａは、内フランジ１３４や中フランジ１３５とは係合しない。キャップ１２１は、嵌合部１３１が外側開口１０５ｂに嵌合し、キャップ止め片１２２の係合凹部１２３が係合溝１３３に係合し嵌合部１３１と係合溝１３３の底面との成す段差部１３７と内フランジ１３４との間で上下方向が規制されることで、開口部１０５を閉塞した状態が保持される。
【００７９】
キャップ１２１の裏面に形成されたネック支持部１３６は、逆さ向きの流体容器１のネック部２の先端部が当接され、運搬時等に直接ネック部の先端部が地面等に接することを防止し、衛生状態を維持する。
【００８０】
図２６に示すように、キャップ１２１は、収納箱１００が展開された状態で取り付けられる。図２５（Ａ）に示すように、キャップ１２１を開口部１０５に装着するには、底面外フラップ１０３ａの外面側から外フランジ１３２と中フランジ１３５とで構成される溝を挿入端として、外側開口１０５ｂに挿入し（図２５（Ａ）中矢印Ａ方向）、次いで、外側開口１０５ｂの開口端に突き当てられた部分を回動支点として図２５（Ａ）中矢印Ｂ方向に回動し、キャップ１２１の嵌合部１３１を外側開口１０５ｂに嵌合する。この後、図２６に示すように、キャップ止め片１２２は、収納箱１００が展開された状態において、底面外フラップ１０３ａ，前面１０１ａ，天面外フラップ１０４ａの内面に重ね合わされる。そして、キャップ１２１の係合溝１３３にキャップ止め片１２２の係合凹部１２３が係合される。収納箱１００が組み立てられた後において、キャップ止め片１２２が引き抜かれると、係合凹部１２３がキャップ１２１の係合溝１３３から外れることで、キャップ１２１が開口部１０５から外れる。キャップ１２１には、収納物である流体容器１のネック部２によって流体容器１の重さが加わっている。従って、収納箱１００が持ち上げられたときには、最初、収納箱１００のみが持ち上がり、流体容器１の重さでキャップ１２１が開口部１０５から外れる。その後、収納物の流体容器１は、ネック部２の周囲が収納箱１００の底面１０１ｆに支持され、収納箱１００によって持ち上げられる。
【００８１】
なお、キャップ１２１は、図２７（Ａ）及び（Ｂ）に示すような構成のものであっても良い。このキャップ１４１は、底面外フラップ１０３ａの外側開口１０５ｂの周辺の外面に当接する外フランジ１４２と、外フランジ１４２の内面に環状に立設された複数の立ち上がり片１４３と、各立ち上がり片１４３の先端部に外側に向かって突設された内フランジと１４４と、立ち上がり片１４３の間に形成された位置決め凸部１４５と、環状に立設された複数の立ち上がり片１４３の内側にあってネック部２の先端部を支持するネック支持部１４６とを有する。
【００８２】
外フランジ１４２は、その直径Ｄ２がキャップ１４１が全体が収納部１０１の内部に入り込むことを防止するため、開口部１０５を構成する外側開口１０５ｂの直径Ｄ１より大きい直径を有し、底面外フラップ１０３ａの外側開口１０５ｂの周辺の外面に当接する。外フランジ１４２の内面に立設された複数の立ち上がり片１４３は、環状を構成し、その環状部の直径Ｄ５は、外側開口１０５ｂの直径Ｄ１より小径に形成され、立ち上がり片１４３によって構成された環状部が外側開口１０５ｂに挿入可能になっている。立ち上がり片１４３の先端部は、外側に向かって内フランジ１４４が形成されている。外フランジ１４２上には、外側開口１０５ｂに立ち上がり片１４３が挿入されると、底面外フラップ１０３ａの外側開口１０５ｂの周辺の外面が当接する。更に、底面外フラップ１０３ａの上は、キャップ止め片１２２が延在され、係合凹部１２３が環状に立設された立ち上がり片１４３の外周部に係合される。即ち、底面外フラップ１０３ａの外側開口１０５ｂの開口端と立ち上がり片１４３の係合凹部１２３は、外フランジ１４２と内フランジ１４４との間の係合溝１４８に係合されることになる。なお、外フランジ１４２には、各立ち上がり片１４３の外側の根本に内フランジ１４４を成形するための抜き孔１４７が形成されている。
【００８３】
立ち上がり片１４３の間に形成された位置決め凸部１４５は、外面が底面外フラップ１０３ａの外側開口１０５ｂの開口端（内側面）に当接し、外側開口１０５ｂにおけるキャップ１４１の位置決めを行う。従って、位置決め凸部１４５の高さは、外フランジ１４２の厚さより低く形成されている。
【００８４】
キャップ１４１の裏面に形成されたネック支持部１４６は、逆さ向きの流体容器１のネック部２の先端部が当接され、運搬時等に直接ネック部２の先端部が地面等に接することを防止し、衛生状態を維持する。
【００８５】
このようなキャップ１４１においても、上述したキャップ１２１と同様、図２６に示すように、収納箱１００が展開された状態で取り付けられる。具体的に、キャップ１４１を開口部１０５に装着するには、底面外フラップ１０３ａの外面側から外フランジ１４２と内フランジ１４４とで構成される溝を挿入端として、外側開口１０５ｂに挿入し、外側開口１０５ｂの開口端と係合溝１４８を係合させて、更に、位置決め凸部１４５を当接させて、外側開口１０５ｂにおいてキャップ１４１を位置決めする。この後、図２６に示すように、キャップ止め片１２２は、収納箱１００が展開された状態において、底面外フラップ１０３ａ、前面１０１ａ，天面外フラップ１０４ａの内面に重ね合わされる。そして、キャップ１２１の係合溝１４８にキャップ止め片１２２の係合凹部１２３が係合される。収納箱１００が組み立てられた後において、キャップ止め片１２２が引き抜かれると、係合凹部１２３がキャップ１２１の係合溝１４８から外れることで、キャップ１２１が開口部１０５から外れるようになる。キャップ１４１には、収納物である流体容器１のネック部２によって流体容器１の重さが加わっている。従って、収納箱１００が持ち上げられたときには、最初、収納箱１００のみが持ち上がり、流体容器１の重さでキャップ１４１が開口部１０５から外れる。その後、収納物の流体容器１は、ネック部２の周囲が収納箱１００の底面１０１ｆに支持され、収納箱１００によって持ち上げられる。
【００８６】
また、キャップ１２１は、図２８（Ａ）〜（Ｃ）に示すように構成することも出来る。このキャップ１５１は、底面外フラップ１０３ａの外側開口１０５ｂの周辺の外面に当接する外フランジ１５２と、底面外フラップ１０３ａの外側開口１０５ｂの周辺の内面に当接する内フランジ１５３と、外フランジ１５２と内フランジ１５３との間に形成される係合溝１５４とを有する。また、外フランジ１５２と内フランジ１５３との間には、外フランジ１５２側から内フランジ１５３側に上昇するテーパ部１５５が形成され、テーパ部１５５が形成された部分は、外フランジ１５２が形成されていない。このキャップ１５１は、収納部１０１の内側に位置する内フランジ１５３が底面外フラップ１０３ａの外側開口１０５ｂからの収納部１０１の外側に抜け落ちることを防止する抜け止めとなる。また、大径の内フランジ１５３は、孔部１５６が形成され、外側開口１０５ｂからキャップ１５１から引き抜く紐１５７が取り付けられている。紐１５７は、キャップ止め片１２２に代わる部材であり、キャップ止め片１２２と同様、紐１５７は、収納箱１００が展開された状態において、底面外フラップ１０３ａ，前面１０１ａ，天面外フラップ１０４ａの内面に延在される。また、キャップ１５１には、ネック部２の先端部を支持するネック支持部１５８が形成されている。ネック支持部１５８は、内フランジ１５３の中央部分に構成されている。ネック支持部１５８は、逆さ向きの流体容器１のネック部２の先端部が当接され、運搬時等に直接ネック部２の先端部が地面等に接することを防止し、衛生状態を維持する。
【００８７】
このようなキャップ１５１においても、上述したキャップ１２１と同様、収納箱１００が展開された状態で取り付けられる。具体的に、キャップ１５１を開口部１０５に装着するには、図２８（Ｃ）に示すように、底面外フラップ１０３ａの内面側から係合溝１５４に底面外フラップ１０３ａの外側開口１０５ｂの開口端を係合させてから、外側開口１０５ｂを閉塞するように配置される。収納箱１００が組み立てられた後において、外側開口１０５ｂは、紐１５７が引っ張られると、テーパ部１５５で外側開口１０５ｂの開口端を乗り上げ開放される。従って、収納箱１００が持ち上げられたときには、最初、収納箱１００のみが持ち上がるが、この際、流体容器１の自重で開口部１０５からネック部２が垂出した状態を得ることが出来る。
【００８８】
以上のような収納箱１００の組立方法について説明する。ここでは、図２４に示したキャップ１２１を用いた場合を説明する。図２６に示すように、収納箱１００が展開された状態において、底面外フラップ１０３ａの外側開口１０５ｂには、図２５に示すように、キャップ１２１が外フランジ１３２と中フランジ１３５とで構成される溝を挿入端として挿入され、外側開口１０５ｂの開口端を外フランジ１３２と中フランジ１３５とで構成される溝に係合させる。次いで、キャップ１２１の嵌合部１３１を外側開口１０５ｂに嵌合する。この後、図２６に示すように、キャップ止め片１２２は、収納箱１００が展開された状態において、底面外フラップ１０３ａ，前面１０１ａ，天面外フラップ１０４ａの内面に重ね合わされる。そして、キャップ１２１の係合溝１３３にキャップ止め片１２２の係合凹部１２３が係合される。
【００８９】
キャップ１２１とキャップ止め片１２２が取り付けられると、先ず、図２６に示すように、一側面１０１ｂの継ぎしろ１０６と背面１０１ｃとが接着剤、粘着テープ、封緘材等で結合され環状とされた後、天面内フラップ１０４ｂ，１０４ｄが閉じられ、天面側凹凸部１１１，１１１が係合される。次いで、キャップ止め片１２２の把手部１２５が形成された基端部は、天面内フラップ１０４ｂ，１０４ｄに沿うように内側に折曲され、その上に天面外フラップ１０４ｃが閉じられ、更に、天面外フラップ１０４ａが閉じられる。この際、図２１に示すように、開閉機構１１２の固定部１１２ｂは、接着剤等の固定手段によって、天面外フラップ１０４ｃの基端側に固定される。
【００９０】
次いで、天面１０１ｅ側を下にして、底面１０１ｆ側から流体容器１が収納部１０１に収納される。即ち、流体容器１は、ネック部２を上側にして、収納部１０１に収納される。次いで、底面内フラップ１０３ｂ，１０３ｄが閉じられ、第一底面側凹凸部１０８ａ，１０８ｂが係合される。次いで、底面外フラップ１０３ａ，１０３ｃが閉じられ、第二底面側凹凸部１０９ａ，１０９ｂが係合される。この後、粘着テープ、封緘材等で結合され、底面１０１ｆを構成する。このとき、図２６に示すように、係合凹部１２３がキャップ１２１と係合したキャップ止め片１２２は、収納部１０１の底面１０１ｆから背面１０１ｃに亘る内面に延在される。この際、キャップ止め片１２２は、平行な折り目線１２４が形成されているので、収納部１０１の底面１０１ｆと背面１０１ｃとが成すほぼ９０°のコーナ部に倣って折曲することが出来る。
【００９１】
即ち、この収納箱１００は、天面１０１ｅ側を下にして組立を開始し、底面１０１ｆが開放された状態で流体容器１の底面を挿入端として流体容器１が収納部１０２に収納される。従って、流体容器１を既存の装置を用いて収納部１０１に挿入することが出来る。そして、この収納箱１００は、流体容器１が収納されて封がされると、天面１０１ｅ側を下にして輸送される。すなわち、収納箱１００は、キャップ１２１を上にして輸送され、輸送時の振動等によってキャップ１２１が破損することを防止することが出来る。
【００９２】
また、組み立てられた収納箱１００は、図１６、図１７、図１９Ａ及び図２９に示すように、底面１０１ｆ側において、第一底面側凹凸部１０８ａ，１０８ｂが互いに係合され、更に、第二底面側凹凸部１０９ａ，１０９ｂが互いに係合される。また、天面１０１ｅにおいても、天面側凹凸部１１１，１１１が互いに係合される。従って、この収納箱１００は、輸送時において様々な方向から外力が加わったとしても、互いに直交する図１６及び図１７中矢印Ｄ１及びＤ２方向の変形を防止することが出来る。なお、第一底面側凹凸部１０８ａ，１０８ｂ、第二底面側凹凸部１０９ａ，１０９ｂ、天面側凹凸部１１１，１１１は、互いに直交するＤ１方向及びＤ２方向に形成することが良いが、Ｄ１方向、Ｄ２方向の何れか一方に形成するようにしても良い。
【００９３】
収納箱１００は、ユーザの手元においては、天面１０１ｅを上にし底面１０１ｆを下にした状態で使用するまでの間保管することが好ましい。ユーザの家庭内やオフィス内で収納箱１００を短い距離を移動する場合には、図２０及び図２１に示すように、天面１０１ｅが上にされ、収納部１０１の底面１０１ｆを下にする、即ち、収納物である流体容器１のネック部２を下向きの状態にする。そして、例えば、玄関から収納位置まで移動する場合や収納位置からウォータサーバの容器装着部に装着する作業を行う場合には、開封機構１１２の離断部１１２ｅをミシン目やハーフカットに沿って引っ張り、開閉部１２１ａと固定部１２１ｂとを離断し、開閉部１１２ａと固定部１１２ｂとを分離する。これにより、図１６及び図２９に示すように、開閉部１１２ａ、即ち天面外フラップ１０４ａを開閉出来るようになる。そして、ユーザは、把手部１０７，１０７をもって収納箱１００を短い距離移動することが出来る。そして、一時保管するときには、再度、開閉部１１２ａを係合部１１２ｃ，１１２ｃに係合させて天面１０１ｅを一時的に閉塞することが出来る。
【００９４】
ユーザの手元に輸送された収納箱１００に収納された流体容器１をウォータサーバの容器装着部に装着する際には、図２０及び図２１に示すように、先ず、開閉部１１２ａが係合部１１２ｃ，１１２ｃと係合した状態を解除し、天面１０１ｅを開く。次いで、収納箱１００の底面１０１ｆのキャップ１２１を外すため、図３０〜図３２に示すように、キャップ止め片１２２は、ユーザが把手部１２５を持って引き抜くことで、係合凹部１２３がキャップ１２１と係合した状態を解除する。キャップ止め片１２２は、ウォータサーバに装着するとき、収納箱１００から完全に引き抜かれる。
【００９５】
収納箱１００を開封する作業場所からウォータサーバの装着場所にユーザが移動するときには、図３３に示すように、天面外フラップ１０４ａ，１０４ｃの把手部１０７，１０７を持って流体容器１を収納箱１００ごと持ち上げる。この際、図３４（Ａ）に示すように、収納箱１００が床にあるときには、キャップ１２１にネック部２から流体容器１の重さが加わった状態にあり、外側開口１０５ｂを閉塞した状態にある。ユーザによって収納箱１００が持ち上げられると、最初、図３４（Ｂ）に示すように、収納箱１００のみが持ち上がり、流体容器１の重さでキャップ１２１が開口部１０５から外れる。その後、図３４（Ｃ）に示すように、収納物の流体容器１は、ネック部２の周囲が収納箱１００の底面１０１ｆに支持され、収納箱１００によって持ち上げられる。収納箱１００は、ウォータサーバ１６０の装着部１６１に装着する作業を行うとき、キャップ１２１が外れることから、底面１０１ｆの外側開口１０５ｂからネック部２及びキャップ４が突出した状態で移動される。
【００９６】
収納箱１００を短い距離移動させる際に、収納箱１００は、天面内フラップ１０４ａ，１０４ｃの先端側の把手部１０７，１０７に手を掛ければ良いことから、容易にウォータサーバまで移動させることが出来る。即ち、天面内フラップ１０４ａ，１０４ｃが収納箱１００の天面１０１ｅより上に引き出されることから、ユーザは、腰を屈める角度を小さくすることが出来、長身の者や力の弱い者も容易に収納箱１００を移動させることが出来る。
【００９７】
ここで、給液装置となるウォータサーバについて図３５を参照して説明すると、このウォータサーバ１６０は、上側に吐水部が設けられ、下側に、流体容器１を収納箱１００ごと装着する装着部１６１が設けられている。装着部１６１は、サーバ本体から引き出される。この装着部１６１は、収納箱１００内の流体容器１のネック部２と接続されるジョイント１６２ａが設けられるジョイント保持部材１６２と、ジョイント保持部材１６２に対して上下する容器保持部材１６３とを備える。
【００９８】
ジョイント保持部材１６２は、中央部にジョイント１６２ａが固定され、ジョイント１６２ａに対して流体容器１を着脱する際等に滴下した水等の流体の受け皿としても機能する。容器保持部材１６３は、流体容器１が収納箱１００ごと装着される部材であり、収納箱１００のネック部２が外側開口１０５ｂより突出した底面１０１ｆとほぼ同じ大きさの装着凹部１６４が設けられ、この装着凹部１６４の中央部にジョイント１６２ａ及びネック部２が挿通される挿通孔１６５が設けられている。この容器保持部材１６３は、ジョイント保持部材１６２に対して上下動し、コイルバネ等の付勢部材によって、ジョイント保持部材１６２に対して離間する方向に付勢されている。
【００９９】
図３５に示すように、流体容器１が未装着のとき、容器保持部材１６３は、ジョイント保持部材１６２から付勢部材によって離間、即ち上昇した状態にある。容器保持部材１６３の装着凹部１６４には、容器保持部材１６３が上昇した位置において、収納箱１００のネック部２が外側開口１０５ｂより突出した底面１０１ｆが装着される。この際、収納箱１００の底面１０１ｆは、装着凹部１６４の側壁によって挿入がガイドされ位置決めされる。そして、容器保持部材１６３は、収納箱１００の重さによってジョイント保持部材１６３に近接する方向に降下する。容器保持部材１６３の降下に合わせて、収納箱１００の底面１０１ｆより突出したネック部２の先端は、挿通孔１６５に更に進入し、ジョイント１６２ａと接続される。これにより、ウォータサーバ１６０には、収納箱１００に収納された流体容器１からに水等の流体が供給される。
【０１００】
なお、収納箱１００に収納する流体容器１は、ハード容器で、ネック部２を下向きに置いたとしても、ネック部２が自重で撓まない程度の強度を有するものであっても良いし、図３６に示すように、ソフト容器にして、自重でネック部２が窪むような可撓性を有するものにしても良い。ソフト容器にした場合には、逆さに置かれたとき、ネック部２が内側に凹むことで、相対的に、ネック部２の周辺が突出することになる。ネック部２の周囲の突出部５は、流体容器１が収納箱１００内に逆さ向きに収納されたときに、底面１０１ｆと突出部５の先端面が近づくことで、流体容器１の収納箱１００内で流体容器１を支持することが出来、収納箱１００内の流体容器１の姿勢が一層安定する上、収納箱１００の底面１０１ｆの中央への応力集中を分散することが出来る。
【０１０１】
更に、以上の収納箱１００では、底面１０１ｆに形成された開口部１０５をキャップ１２１で閉塞するようにし、閉塞状態を、キャップ１２１をキャップ止め片１２２で保持するようにしたが、ここでは、底面１０１ｆに形成された開口部１０５をキャップ１２１を用いずに、キャップ止め片１２２に代わる閉塞片１７１のみで閉塞する場合を図３７を参照して説明する。
【０１０２】
この収納箱１７０に用いられる閉塞片１７１は、収納部１０１の底面１０１ｆから背面１０１ｃに亘る内面に延在されるように長尺に形成され、先端部１７４で底面１０１ｆの開口部１０５の外側開口１０５ｂを閉塞する。この閉塞片１７１は、底面１０１ｆから背面１０１ｃに亘って沿うように配置されるので、収納部１０１の底面１０１ｆと背面１０１ｃとが成すコーナ部近傍では、ほぼ９０°のコーナ部に倣って折曲するように、長手方向に対して直交する折り目線１７２が形成されている。閉塞片１７１の基端部は、収納部１０１の天面１０１ｅより露出し、露出する部分に、把手部１７３が形成されている。閉塞片１７１は、ユーザが把手部１７３を持って引き抜くことで、開口部１０５を開放する。把手部１７３が形成された閉塞片１７１の基端部は、天面１０１ｅにおいて、天面外フラップ１０４ｃと天面内フラップ１０４ｂ，１０４ｄとの間に延在され、天面外フラップ１０４ａ，１０４ｃが開かれたときに露出し、収納部１０１の内部から引き出すことが出来る。
【０１０３】
以上のような収納箱１７０は、開口部１０５を閉塞するのに、キャップ１２１を用いず、閉塞片１７１の先端部１７４を用いて閉塞するようにしたので、キャップ１２１を用いない分、部品点数の削減を図ることができ、製造工程の簡素化することが出来ると共に、製造コストの削減を実現することが出来る。
【０１０４】
なお、流体容器に貯留する流体としては、水、ミネラルウォータ等の他、に、ジュース、コーヒー、紅茶、スープ等の流体であっても良い。また、収納箱に収納する物としては、流体容器に限定されるものではない。
【符号の説明】
【０１０５】
１  流体容器、２  ネック部、３  注水口、４  キャップ、１０  収納箱、１１  収納部、１１ａ  前面、１１ｂ  一側面、１１ｃ  背面、１１ｄ  他側面、１２  折曲線、１３ａ，１３ｃ  底面外フラップ、１３ｂ，１３ｄ  底面内フラップ、１４ａ，１４ｃ  天面外フラップ、１４ｂ，１４ｄ  天面内フラップ、１５  継ぎしろ、１６  把手部、２０  収納箱、２１  収納部、２２ａ  前面、２２ｂ  一側面、２２ｃ，  背面、２２ｄ  他側面、２２ｅ  底面、２３ａ  第一天面フラップ、２３ｂ  第二天面フラップ、２３ｃ  第三天面フラップ、２３ｄ  第四天面フラップ、２４ａ  第一折込片、２４ｂ  第二折込片、２４ｃ  第三折込片、２４ｄ  第四折込片、２４ｅ  第五折込片、２４ｆ  第六折込片、２４ｇ  第七折込片、２４ｈ  第八折込片、２５，２６  折曲線、２７ａ  第一係止片、２７ｂ  第一係止口、２８ａ  第二係止片、２８ｂ  第二係止口、２９  折曲線、３１ａ  第一ネック係合部、３１ｂ  第二ネック係合部、３１ｃ  第三ネック係合部、３１ｄ  第四ネック係合部、３２ａ  第一係合片、３２ｂ  第二係合片、３３  折曲線、３４ａ，３４ｂ  把手部、３５  第一ロック片、３５ａ  第一スリット、３６  第二ロック片、３６ａ  第二スリット、３７  折曲線、４０  収納箱、４１ａ  第一折込片、４１ｂ  第二折込片、４１ｃ  第三折込片、４１ｄ  第四折込片、４１ｅ  第五折込片、４１ｆ  第六折込片、４１ｇ  第七折込片、４１ｈ  第八折込片、４２  折曲線、４３ａ  第一係止溝、４３ｂ  第一係止溝、４４  折曲線、４４ａ  第一係止溝、４４ｂ  第二係止溝、４５ａ，４５ｂ  折込片、４６  折曲線４７ａ，４７ｂ  舌片、４８  折曲線、４９ａ  第一ネック係合部、４９ｂ  第二ネック係合部、４９ｃ，４９ｄ  把手部、５０  収納箱、５０ａ  第一係合片、５０ｂ  第二係合片、５１  折曲線、６０  収納箱、６１  収納部
、６１ａ  前面、６１ｂ  一側面、６１ｃ  背面、６１ｄ  他側面、６２  折曲線、６３ａ〜６３ｄ  フラップ、６５  開口部、６６−６９  容器支持部、６６ａ〜６９ａ  底面、６６ｂ〜６９ｂ  内側面、６６ｃ〜６９ｃ  支持面、６６ｄ〜６９ｄ  外側面、６６ｅ〜６９ｅ  先端部、７０，７０  把手部、７１  閉塞部、７２ａ  底面、７２ｂ，７２ｃ  外側面、７２ｄ，７２ｅ  天面、７２ｆ，７２ｇ  内側面、７２ｈ，７２ｉ  先端部、７３  折曲線、７４  係合支持部、７４ａ，７４ａ  支持面、７５  足掛部、１００  収納箱、１０１  収納部、１０１ａ  前面、１０１ｂ  一側面、１０１ｃ  背面、１０１ｄ  他側面、１０１ｅ  天面、１０１ｆ  底面、１０２  折曲線、１０３ａ  底面外フラップ、１０３ｂ  底面内フラップ、１０３ｃ  底面外フラップ、１０４ａ  天面外フラップ、１０４ｂ  天面内フラップ、１０４ｃ  天面外フラップ、１０５  開口部、１０５ａ  内側半開口、１０５ｂ  外側開口、１０７  把手部、１０７ｂ  舌片、１０８ａ，１０８ｂ  第一底面側凹凸部、１０９ａ，１０９ｂ  第二底面側凹凸部、１１１  天面側凹凸部、１１２  開封機構、１１２ａ  開閉部、１１２ｂ  固定部、１１２ｃ  係合部、１１２ｄ  被係合部、１１２ｅ  離断部、１１２ｇ  凹部、１１２ｈ  挿入口、１２１  キャップ、１２１ａ  開閉部、１２１ｂ  固定部、１２２  キャップ止め片、１２３  係合凹部、１２４  折り目線、１２５  把手部、１３１  嵌合部、１３２  外フランジ、１３３  係合溝、１３４  内フランジ、１３５  中フランジ、１３６  ネック支持部、１３７  段差部、１４１  キャップ、１４２  外フランジ、１４３  キャップ止め片、１４４  内フランジ、１４５  位置決め凸部、１４６  ネック支持部、１４７  抜き孔、１４８  係合溝、１５１  キャップ、１５２  外フランジ、１５３  内フランジ、１５４  係合溝、１５５  テーパ部、１５６  孔部、１５７  紐、１５８  ネック支持部、１６０  ウォータサーバ、１６１  装着部、１６２  ジョイント保持部材、１６２ａ  ジョイント、１６３  ジョイント保持部材、１６４  装着凹部、１６５  挿通孔、１７０  収納箱、１７１  閉塞片、１７２  折り目線、１７３  把手部、１７４  先端部
【図１】
2018030652.tif 000003
【図２】
2018030652.tif 000004
【図３】
2018030652.tif 000005
【図４Ａ】
2018030652.tif 000006
【図４Ｂ】
2018030652.tif 000007
【図４Ｃ】
2018030652.tif 000008
【図４Ｄ】
2018030652.tif 000009
【図５】
2018030652.tif 000010
【図６】
2018030652.tif 000011
【図７】
2018030652.tif 000012
【図８】
2018030652.tif 000013
【図９】
2018030652.tif 000014
【図１０】
2018030652.tif 000015
【図１１】
2018030652.tif 000016
【図１２】
2018030652.tif 000017
【図１３】
2018030652.tif 000018
【図１４】
2018030652.tif 000019
【図１５】
2018030652.tif 000020
【図１６】
2018030652.tif 000021
【図１７】
2018030652.tif 000022
【図１８】
2018030652.tif 000023
【図１９Ａ】
2018030652.tif 000024
【図１９Ｂ】
2018030652.tif 000025
【図２０】
2018030652.tif 000026
【図２１】
2018030652.tif 000027
【図２２】
2018030652.tif 000028
【図２３】
2018030652.tif 000029
【図２４】
2018030652.tif 000030
【図２５】
2018030652.tif 000031
【図２６】
2018030652.tif 000032
【図２７】
2018030652.tif 000033
【図２８】
2018030652.tif 000034
【図２９】
2018030652.tif 000035
【図３０】
2018030652.tif 000036
【図３１】
2018030652.tif 000037
【図３２】
2018030652.tif 000038
【図３３】
2018030652.tif 000039
【図３４】
2018030652.tif 000040
【図３５】
2018030652.tif 000041
【図３６】
2018030652.tif 000042
【図３７】
2018030652.tif 000043